(57)【要約】【課題】メニュー上でのカーソル移動時間を測定し、測定したカーソル移動時間によって少なくとも１つ以上のカーソル移動方式を適用することにより、メニューを検索するユーザの利便性を向上させることができる、電子装置のディスプレイ部でメニューを検索する方法及び装置を提供する。【解決手段】電子装置のディスプレイ部でメニューを検索する方法は、メニュー上でのカーソル移動時間を測定し、前記測定したカーソル移動時間が予め設定した時間を経過したか否かを判断する段階と、前記の判断結果によって少なくとも１つ以上のカーソル移動方式を適用する段階とを含む。【選択図】図１
2006146897.tif 000002
【特許請求の範囲】
【請求項１】
メニュー上でのカーソル移動時間を測定し、前記測定したカーソル移動時間が予め設定した時間を経過したか否かを判断する段階と、
前記の判断結果によって少なくとも１つ以上のカーソル移動方式を適用する段階と、
を含むことを特徴とする電子装置のディスプレイ部でメニューを検索する方法。
【請求項２】
前記カーソルが、１つ以上の項目を有するメニュー上で選択された項目を示すインジケータであることを特徴とする請求項１に記載の電子装置のディスプレイ部でメニューを検索する方法。
【請求項３】
前記少なくとも１つ以上のカーソル移動方式が、ムービングカーソル方式、ムービングボディ方式、及びページ連動ムービングカーソル方式を含むことを特徴とする請求項１に記載の電子装置のディスプレイ部でメニューを検索する方法。
【請求項４】
前記ムービングカーソル方式が、前記電子装置のディスプレイ部に表示されたメニュー上でカーソルが上下又は左右に移動する方式であることを特徴とする請求項３に記載の電子装置のディスプレイ部でメニューを検索する方法。
【請求項５】
前記ムービングボディ方式が、前記電子装置のディスプレイ部に表示されたメニューの中央にカーソルが固定され、前記メニューが上下又は左右に移動する方式であることを特徴とする請求項３に記載の電子装置のディスプレイ部でメニューを検索する方法。
【請求項６】
前記ページ連動ムービングカーソル方式が、前記電子装置のディスプレイ部にメニューが複数のページに分割されて表示され、カーソルが前記表示された１ページ内でのみ上下又は左右に移動する方式であることを特徴とする請求項３に記載の電子装置のディスプレイ部でメニューを検索する方法。
【請求項７】
前記少なくとも１つ以上のカーソル移動方式を適用する段階は、
前記測定したカーソル移動時間が前記予め設定した時間を経過すると、前記ムービングボディ方式と前記ムービングカーソル方式を順次適用することを特徴とする請求項３に記載の電子装置のディスプレイ部でメニューを検索する方法。
【請求項８】
前記少なくとも１つ以上のカーソル移動方式を適用する段階は、
前記測定したカーソル移動時間が前記予め設定した時間を経過していないと、前記ムービングカーソル方式を適用することを特徴とする請求項７に記載の電子装置のディスプレイ部でメニューを検索する方法。
【請求項９】
前記少なくとも１つ以上のカーソル移動方式を適用する段階は、
前記測定したカーソル移動時間が前記予め設定した時間を経過していないと、前記ページ連動ムービングカーソル方式を適用することを特徴とする請求項７に記載の電子装置のディスプレイ部でメニューを検索する方法。
【請求項１０】
前記メニューが、少なくとも１つ以上の項目が上下又は左右に順に羅列されたメニューであることを特徴とする請求項１に記載の電子装置のディスプレイ部でメニューを検索する方法。
【請求項１１】
ユーザにより選択されたメニューが表示される電子装置のディスプレイ部において、
前記選択されたメニューが表示されると、予め設定した第１カーソル移動方式を適用する段階と、
前記適用された第１カーソル移動方式によるカーソル移動時間を測定し、前記測定したカーソル移動時間が予め設定した時間を経過したか否かを判断する段階と、
前記測定したカーソル移動時間が前記予め設定した時間を経過すると、予め設定した第２カーソル移動方式によって、カーソルが位置する項目がディスプレイ部の中央に位置するようにメニューを変更する段階と、
前記変更されたメニューが表示されると、前記予め設定した第１カーソル移動方式を適用する段階と、
を含むことを特徴とする電子装置のディスプレイ部でメニューを検索する方法。
【請求項１２】
前記カーソルが、１つ以上の項目を有するメニュー上で選択された項目を示すインジケータであることを特徴とする請求項１１に記載の電子装置のディスプレイ部でメニューを検索する方法。
【請求項１３】
前記第１カーソル移動方式が、ムービングカーソル方式であることを特徴とする請求項１１に記載の電子装置のディスプレイ部でメニューを検索する方法。
【請求項１４】
前記第１カーソル移動方式が、ページ連動ムービングカーソル方式であることを特徴とする請求項１１に記載の電子装置のディスプレイ部でメニューを検索する方法。
【請求項１５】
前記第２カーソル移動方式が、ムービングボディ方式であることを特徴とする請求項１１に記載の電子装置のディスプレイ部でメニューを検索する方法。
【請求項１６】
前記測定したカーソル移動時間が前記予め設定した時間を経過していないと、前記第１カーソル移動方式の適用を維持することを特徴とする請求項１１に記載の電子装置のディスプレイ部でメニューを検索する方法。
【請求項１７】
前記メニューが、少なくとも１つ以上の項目が上下又は左右に順に羅列されたメニューであることを特徴とする請求項１１に記載の電子装置のディスプレイ部でメニューを検索する方法。
【請求項１８】
ユーザに情報とカーソルを表示するディスプレイ部と、
前記カーソルの移動を制御するための使用者からの入力を受信する入力部と、
前記ディスプレイ部及び前記入力部と連動するプロセッサとを含み、
前記プロセッサは、
ユーザがカーソルの移動を制御する時間を測定する段階と、
前記測定された時間によって情報を表示する段階と、
前記測定された時間によって次のカーソルの移動を許容する段階と、
を行うことを特徴とするグラフィカルユーザインターフェース上でメニューを検索する装置。
【請求項１９】
前記カーソルが、ユーザに表示された任意の情報を表示された他の情報と区別させるためのグラフィックインジケータであることを特徴とする請求項１８に記載のグラフィカルユーザインターフェース上でメニューを検索する装置。
【請求項２０】
前記情報が、水平又は垂直方向を有するメニューとして表示されることを特徴とする請求項１８に記載のグラフィカルユーザインターフェース上でメニューを検索する装置。
【請求項２１】
前記カーソルが、メニュー形式で１つ以上の項目を区別するハイライト領域として示されることを特徴とする請求項２０に記載のグラフィカルユーザインターフェース上でメニューを検索する装置。
【請求項２２】
前記入力部が、ユーザの音声入力又は接触入力を受信することを特徴とする請求項２０に記載のグラフィカルユーザインターフェース上でメニューを検索する装置。
【請求項２３】
前記プロセッサが、前記ディスプレイ部の画面上の中央位置に情報を表示することを特徴とする請求項２０に記載のグラフィカルユーザインターフェース上でメニューを検索する装置。
【請求項２４】
前記次のカーソルの移動が、前記情報とカーソルとが互いに相対的に動くように見える方法で表示されることを特徴とする請求項２０に記載のグラフィカルユーザインターフェース上でメニューを検索する装置。
【請求項２５】
前記情報とカーソルは、前記カーソルが固定されており、前記情報が動くように見える方法で表示されることを特徴とする請求項２４に記載のグラフィカルユーザインターフェース上でメニューを検索する装置。
【請求項２６】
前記情報とカーソルは、前記情報が固定されており、前記カーソルが動くように見える方法で表示されることを特徴とする請求項２４に記載のグラフィカルユーザインターフェース上でメニューを検索する装置。
【発明の詳細な説明】
【技術分野】
【０００１】
本発明は、電子装置のディスプレイ部に関し、特に、メニューを検索するユーザの利便性を向上させることができる、電子装置のディスプレイ部でメニューを検索する方法及び装置に関する。
【背景技術】
【０００２】
近年、移動通信端末機は、電話通話機能以外に、カメラ機能、ＭＰ３（MPEG Audio Layer-3）プレーヤー機能、インターネット機能、ＳＭＳ（Short Message Service）機能など多様な付加機能を備えるだけでなく、その形態及びユーザインターフェース（User Interface；ＵＩ）においても、前記備えられた多様な付加機能によるデザイン要素が加えられて設計されている。
【０００３】
前記移動通信端末機だけでなく、デジタルカメラ、カムコーダ、ＭＰ３プレーヤーなどの電子装置は、小型化により小型のディスプレイ部を装着しており、前記装着された小型のディスプレイ部で多様な機能を提供している。ユーザは、前記小型のディスプレイ部にメニューを表示し、前記表示されたメニュー上でカーソルを移動させて所望の項目を選択することにより、前記多様な機能を使用することができる。
【０００４】
前記小型のディスプレイ部に表示されたメニュー上でカーソルを移動させる方式は多様であるが、以下、このような小型のディスプレイ部でメニューを検索するためにカーソルを移動させる方法について図４Ａ〜図４Ｃを参照して説明する。
【０００５】
図４Ａ〜４Ｃは従来の電子装置のディスプレイ部に適用されるカーソル移動方式を説明するための図である。
【０００６】
図４Ａに示す従来の電子装置のディスプレイ部に適用されるカーソル移動方式は、ディスプレイ部に表示されたメニューの中央にカーソルが固定され、メニューが上下に移動する方式であって、このような方式をムービングボディ（Moving Body）方式という。
【０００７】
しかしながら、このようなムービングボディ方式は、ユーザが下方向キーを押したときにメニューが上に移動するため、カーソルの移動方向とメニューの移動方向とが反対となっており、ユーザに混乱をもたらすという欠点がある。
【０００８】
図４Ｂに示す従来の電子装置のディスプレイ部に適用されるカーソル移動方式は、メニューが複数のページに分割されて表示され、カーソルが表示された１ページ内でのみ上下に移動する方式であって、このような方式をページ連動ムービングカーソル（Moving Cursor via Pages）方式という。
【０００９】
しかしながら、このようなページ連動ムービングカーソル方式は、１ページ内の項目から次のページ内の項目に移動するときに、カーソルの移動と共にページも移動するため、メニュー間の連続性を提供できないという欠点がある。
【００１０】
図４Ｃに示す従来の電子装置のディスプレイ部に適用されるカーソル移動方式は、メニューのページ区分なしにカーソルが上下に移動する方式であって、このような方式をムービングカーソル（Moving Cursor）方式という。
【００１１】
しかしながら、このようなムービングカーソル方式は、ディスプレイ部に表示されたページの最終行の項目から次の項目に移動するときに、カーソルはディスプレイ部の最終行に固定されて項目のみ変わるため、次の項目が何かを予測しにくいという欠点がある。
【００１２】
以上説明したように、従来の電子装置のディスプレイ部でメニューを検索する方法においては、メニューを検索するために１つのカーソル移動方式を用いるため、用いられる各カーソル移動方式の欠点により利便性が低いという問題があった。
【発明の開示】
【発明が解決しようとする課題】
【００１３】
本発明は、このような従来技術の問題を解決するためになされたもので、メニュー上でのカーソル移動時間を測定し、測定したカーソル移動時間によって少なくとも１つ以上のカーソル移動方式を適用することにより、メニューを検索するユーザの利便性を向上させることができる、電子装置のディスプレイ部でメニューを検索する方法及び装置を提供することを目的とする。
【課題を解決するための手段】
【００１４】
上記の目的を達成するために、本発明による電子装置のディスプレイ部でメニューを検索する方法は、メニュー上でのカーソル移動時間を測定し、前記測定したカーソル移動時間が予め設定した時間を経過したか否かを判断する段階と、前記の判断結果によって少なくとも１つ以上のカーソル移動方式を適用する段階とを含むことを特徴とする。
【００１５】
また、上記の目的を達成するために、本発明による電子装置のディスプレイ部でメニューを検索する方法は、ユーザにより選択されたメニューが表示される電子装置のディスプレイ部において、前記選択されたメニューが表示されると、予め設定した第１カーソル移動方式を適用する段階と、前記適用された第１カーソル移動方式によるカーソル移動時間を測定し、前記測定したカーソル移動時間が予め設定した時間を経過したか否かを判断する段階と、前記測定したカーソル移動時間が前記予め設定した時間を経過すると、予め設定した第２カーソル移動方式によって、カーソルが位置する項目がディスプレイ部の中央に位置するようにメニューを変更する段階と、前記変更されたメニューが表示されると、前記予め設定した第１カーソル移動方式を適用する段階とを含むことを特徴とする。
【００１６】
さらに、上記の目的を達成するために、本発明によるグラフィカルユーザインターフェース（Graphical User Interface；ＧＵＩ）上でメニューを検索する装置は、ユーザに情報とカーソルを表示するディスプレイ部と、前記カーソルの移動を制御するための使用者からの入力を受信する入力部と、前記ディスプレイ部及び前記入力部と連動するプロセッサとを含み、前記プロセッサは、ユーザがカーソルの移動を制御する時間を測定する段階と、前記測定された時間によって情報を表示する段階と、前記測定された時間によって次のカーソルの移動を許容する段階とを行うことを特徴とする。
【００１７】
本発明により、以下が提供される。
【００１８】
（項目１）
メニュー上でのカーソル移動時間を測定し、前記測定したカーソル移動時間が予め設定した時間を経過したか否かを判断する段階と、
前記の判断結果によって少なくとも１つ以上のカーソル移動方式を適用する段階と、
を含むことを特徴とする電子装置のディスプレイ部でメニューを検索する方法。
【００１９】
（項目２）
前記カーソルが、１つ以上の項目を有するメニュー上で選択された項目を示すインジケータであることを特徴とする項目１に記載の電子装置のディスプレイ部でメニューを検索する方法。
【００２０】
（項目３）
前記少なくとも１つ以上のカーソル移動方式が、ムービングカーソル方式、ムービングボディ方式、及びページ連動ムービングカーソル方式を含むことを特徴とする項目１に記載の電子装置のディスプレイ部でメニューを検索する方法。
【００２１】
（項目４）
前記ムービングカーソル方式が、前記電子装置のディスプレイ部に表示されたメニュー上でカーソルが上下又は左右に移動する方式であることを特徴とする項目３に記載の電子装置のディスプレイ部でメニューを検索する方法。
【００２２】
（項目５）
前記ムービングボディ方式が、前記電子装置のディスプレイ部に表示されたメニューの中央にカーソルが固定され、前記メニューが上下又は左右に移動する方式であることを特徴とする項目３に記載の電子装置のディスプレイ部でメニューを検索する方法。
【００２３】
（項目６）
前記ページ連動ムービングカーソル方式が、前記電子装置のディスプレイ部にメニューが複数のページに分割されて表示され、カーソルが前記表示された１ページ内でのみ上下又は左右に移動する方式であることを特徴とする項目３に記載の電子装置のディスプレイ部でメニューを検索する方法。
【００２４】
（項目７）
前記少なくとも１つ以上のカーソル移動方式を適用する段階は、
前記測定したカーソル移動時間が前記予め設定した時間を経過すると、前記ムービングボディ方式と前記ムービングカーソル方式を順次適用することを特徴とする項目３に記載の電子装置のディスプレイ部でメニューを検索する方法。
【００２５】
（項目８）
前記少なくとも１つ以上のカーソル移動方式を適用する段階は、
前記測定したカーソル移動時間が前記予め設定した時間を経過していないと、前記ムービングカーソル方式を適用することを特徴とする項目７に記載の電子装置のディスプレイ部でメニューを検索する方法。
【００２６】
（項目９）
前記少なくとも１つ以上のカーソル移動方式を適用する段階は、
前記測定したカーソル移動時間が前記予め設定した時間を経過していないと、前記ページ連動ムービングカーソル方式を適用することを特徴とする項目７に記載の電子装置のディスプレイ部でメニューを検索する方法。
【００２７】
（項目１０）
前記メニューが、少なくとも１つ以上の項目が上下又は左右に順に羅列されたメニューであることを特徴とする項目１に記載の電子装置のディスプレイ部でメニューを検索する方法。
【００２８】
（項目１１）
ユーザにより選択されたメニューが表示される電子装置のディスプレイ部において、
前記選択されたメニューが表示されると、予め設定した第１カーソル移動方式を適用する段階と、
前記適用された第１カーソル移動方式によるカーソル移動時間を測定し、前記測定したカーソル移動時間が予め設定した時間を経過したか否かを判断する段階と、
前記測定したカーソル移動時間が前記予め設定した時間を経過すると、予め設定した第２カーソル移動方式によって、カーソルが位置する項目がディスプレイ部の中央に位置するようにメニューを変更する段階と、
前記変更されたメニューが表示されると、前記予め設定した第１カーソル移動方式を適用する段階と、
を含むことを特徴とする電子装置のディスプレイ部でメニューを検索する方法。
【００２９】
（項目１２）
前記カーソルが、１つ以上の項目を有するメニュー上で選択された項目を示すインジケータであることを特徴とする項目１１に記載の電子装置のディスプレイ部でメニューを検索する方法。
【００３０】
（項目１３）
前記第１カーソル移動方式が、ムービングカーソル方式であることを特徴とする項目１１に記載の電子装置のディスプレイ部でメニューを検索する方法。
【００３１】
（項目１４）
前記第１カーソル移動方式が、ページ連動ムービングカーソル方式であることを特徴とする項目１１に記載の電子装置のディスプレイ部でメニューを検索する方法。
【００３２】
（項目１５）
前記第２カーソル移動方式が、ムービングボディ方式であることを特徴とする項目１１に記載の電子装置のディスプレイ部でメニューを検索する方法。
【００３３】
（項目１６）
前記測定したカーソル移動時間が前記予め設定した時間を経過していないと、前記第１カーソル移動方式の適用を維持することを特徴とする項目１１に記載の電子装置のディスプレイ部でメニューを検索する方法。
【００３４】
（項目１７）
前記メニューが、少なくとも１つ以上の項目が上下又は左右に順に羅列されたメニューであることを特徴とする項目１１に記載の電子装置のディスプレイ部でメニューを検索する方法。
【００３５】
（項目１８）
ユーザに情報とカーソルを表示するディスプレイ部と、
前記カーソルの移動を制御するための使用者からの入力を受信する入力部と、
前記ディスプレイ部及び前記入力部と連動するプロセッサとを含み、
前記プロセッサは、
ユーザがカーソルの移動を制御する時間を測定する段階と、
前記測定された時間によって情報を表示する段階と、
前記測定された時間によって次のカーソルの移動を許容する段階と、
を行うことを特徴とするグラフィカルユーザインターフェース上でメニューを検索する装置。
【００３６】
（項目１９）
前記カーソルが、ユーザに表示された任意の情報を表示された他の情報と区別させるためのグラフィックインジケータであることを特徴とする項目１８に記載のグラフィカルユーザインターフェース上でメニューを検索する装置。
【００３７】
（項目２０）
前記情報が、水平又は垂直方向を有するメニューとして表示されることを特徴とする項目１８に記載のグラフィカルユーザインターフェース上でメニューを検索する装置。
【００３８】
（項目２１）
前記カーソルが、メニュー形式で１つ以上の項目を区別するハイライト領域として示されることを特徴とする項目２０に記載のグラフィカルユーザインターフェース上でメニューを検索する装置。
【００３９】
（項目２２）
前記入力部が、ユーザの音声入力又は接触入力を受信することを特徴とする項目２０に記載のグラフィカルユーザインターフェース上でメニューを検索する装置。
【００４０】
（項目２３）
前記プロセッサが、前記ディスプレイ部の画面上の中央位置に情報を表示することを特徴とする項目２０に記載のグラフィカルユーザインターフェース上でメニューを検索する装置。
【００４１】
（項目２４）
前記次のカーソルの移動が、前記情報とカーソルとが互いに相対的に動くように見える方法で表示されることを特徴とする項目２０に記載のグラフィカルユーザインターフェース上でメニューを検索する装置。
【００４２】
（項目２５）
前記情報とカーソルは、前記カーソルが固定されており、前記情報が動くように見える方法で表示されることを特徴とする項目２４に記載のグラフィカルユーザインターフェース上でメニューを検索する装置。
【００４３】
（項目２６）
前記情報とカーソルは、前記情報が固定されており、前記カーソルが動くように見える方法で表示されることを特徴とする項目２４に記載のグラフィカルユーザインターフェース上でメニューを検索する装置。
【発明の効果】
【００４４】
本発明による電子装置のディスプレイ部でメニューを検索する方法及び装置は、メニュー上でのカーソル移動時間を測定し、測定したカーソル移動時間によって少なくとも１つ以上のカーソル移動方式を適用することにより、カーソルが位置する項目の上下又は左右の項目を予め見ることができるため、メニューを検索するユーザの利便性を向上させることができるという効果がある。
【発明を実施するための最良の形態】
【００４５】
以下、メニュー上でのカーソル移動時間を測定し、前記測定したカーソル移動時間によって少なくとも１つ以上のカーソル移動方式を適用することにより、メニューを検索するユーザの利便性を向上させることができる、電子装置のディスプレイ部でメニューを検索する方法及び装置の好ましい実施形態について、添付の図面を参照して説明する。
【００４６】
図１は本発明による電子装置のディスプレイ部でメニューを検索する装置を示すブロック図である。
【００４７】
図１に示すように、本発明による電子装置のディスプレイ部でメニューを検索する装置は、メニュー上でカーソルを移動させるための方向キーを入力するキー入力部１００と、前記方向キーの入力時間を測定し、前記測定した入力時間に基づいてカーソル移動時間を出力する制御部２００と、前記出力されたカーソル移動時間と予め設定した時間に基づいてカーソル移動方式を決定するカーソル制御部３００と、前記決定されたカーソル移動方式によって表示されたメニュー上でカーソルが移動するディスプレイ部４００とを含む。ここで、前記カーソルは、１つ以上の項目を有するメニュー上で選択された項目を示すインジケータを意味する。
【００４８】
また、前記予め設定した時間は、認知心理学理論を基にしたもので、ユーザがカーソルを移動させようとする意図を有するのに所要する０．１秒、キーを押すのに所要する０．２５秒、カーソルが移動したことを認知するのに所要する０．１７秒、次のキーを押すのに所要する０．２８秒を考慮して、少なくともこれらの時間を加算した０．８秒以上に設定することが好ましい。
【００４９】
このように構成された本発明による電子装置のディスプレイ部でメニューを検索する装置の動作を図２を参照して説明する。
【００５０】
図２は本発明による電子装置のディスプレイ部でメニューを検索する方法を示すフローチャートである。
【００５１】
図２に示すように、本発明による電子装置のディスプレイ部でメニューを検索する方法は、ユーザにより選択されたメニューが表示される電子装置のディスプレイ部において、前記選択されたメニューが表示されると、予め設定した第１カーソル移動方式を適用する段階（Ｓ３１０）と、前記適用された第１カーソル移動方式によるカーソル移動時間を測定する段階（Ｓ３２０）と、前記測定したカーソル移動時間が予め設定した時間を経過したか否かを判断する段階（Ｓ３３０）と、前記測定したカーソル移動時間が前記予め設定した時間を経過すると、予め設定した第２カーソル移動方式によって、カーソルが位置する項目がディスプレイ部の中央に位置するようにメニューを変更する段階（Ｓ３４０）と、前記変更されたメニューが表示されると、前記予め設定した第１カーソル移動方式を適用する段階（Ｓ３５０）とを含む。また、前記測定したカーソル移動時間が前記予め設定した時間を経過していないと、前記予め設定した第１カーソル移動方式の適用を維持する。
【００５２】
ここで、前記第１カーソル移動方式は、ムービングカーソル方式又はページ連動ムービングカーソル方式であり、前記第２カーソル移動方式は、ムービングボディ方式である。
【００５３】
以下、このような本発明による電子装置のディスプレイ部でメニューを検索する方法をより詳しく説明する。
【００５４】
まず、電子装置のディスプレイ部４００にユーザにより選択されたメニューが表示されると、カーソル制御部３００は、予め設定した第１カーソル移動方式を適用する（Ｓ３１０）。ここで、前記予め設定した第１カーソル移動方式は、ムービングカーソル方式又はページ連動ムービングカーソル方式である。
【００５５】
このとき、ディスプレイ部４００に表示されたメニューは、少なくとも１つ以上の項目が上下に順に羅列されたメニューであるか、又は左右に順に羅列されたメニューであり、上から下、下から上、左から右、右から左への移動方向のいずれか１つの方向に持続的に移動させることもできる。
【００５６】
ユーザは、前記適用された第１カーソル移動方式によって、前記表示されたメニュー上でカーソルを移動させることができるが、制御部２００は、キー入力部１００によりカーソル移動時間を測定し、前記測定したカーソル移動時間をカーソル制御部３００に出力する（Ｓ３２０）。
【００５７】
カーソル制御部３００は、前記出力されたカーソル移動時間と予め設定した時間とを比較し（Ｓ３３０）、前記出力されたカーソル移動時間が前記予め設定した時間を経過すると、第２カーソル移動方式、即ち、ムービングボディ方式によって、カーソルが位置する項目がディスプレイ部４００の中央に位置するようにメニューを変更する（Ｓ３４０）。
【００５８】
その後、前記変更されたメニューが表示されると、カーソル制御部３００は、前記予め設定した第１カーソル移動方式を適用する（Ｓ３５０）。
【００５９】
それに対して、前記出力されたカーソル移動時間が前記予め設定した時間を経過していないと、カーソル制御部３００は、前記予め設定した第１カーソル移動方式の適用を維持する。
【００６０】
以下、このように適用されるカーソル移動方式の動作原理について図３を参照して説明する。
【００６１】
図３は本発明による電子装置のディスプレイ部に適用されるカーソル移動方式を説明するための図である。
【００６２】
図３に示すように、本発明による電子装置のディスプレイ部に適用されるカーソル移動方式は、ユーザにより選択されたメニューが表示されると、予め設定した第１カーソル移動方式、例えば、ムービングカーソル方式を適用するため、ユーザのキー入力によって、カーソルを項目４に下方向に移動させ、さらに項目６に移動させることができる。
【００６３】
また、ユーザのカーソル移動時間が予め設定した時間を経過すると、予め設定した第２カーソル移動方式、即ち、ムービングボディ方式によって、カーソルが位置する項目がディスプレイ部の中央に位置するようにメニューを変更するため、前記項目６が前記ディスプレイ部の中央に位置し、前記ディスプレイ部に項目３から項目９までが表示される。
【００６４】
その後、前記変更されたメニューが表示されると、前記予め設定した第１カーソル移動方式、例えば、ムービングカーソル方式を適用するため、ユーザのキー入力によって、カーソルを項目６から項目４に上方向に移動させることができる。
【００６５】
本発明は、ユーザに情報とカーソルを表示するディスプレイ部と、前記カーソルの移動を制御するための使用者からの入力を受信する入力部と、前記ディスプレイ部及び前記入力部と連動するプロセッサとを含み、前記プロセッサは、ユーザがカーソルの移動を制御する時間を測定する段階と、前記測定された時間によって情報を表示する段階と、前記測定された時間によって次のカーソルの移動を許容する段階とを行う、グラフィカルユーザインターフェース（ＧＵＩ）上でメニューを検索する装置を提供する。
【００６６】
ここで、前記カーソルは、ユーザに表示された任意の情報を表示された他の情報と区別させるためのグラフィックインジケータであり得る。前記情報は、水平又は垂直方向を有するメニューとして表示することができる。前記カーソルは、メニュー形式で１つ以上の項目を区別するハイライト領域（highlighted portion）として示すことができる。前記入力部は、ユーザの音声入力又は接触入力を受信することができる。前記プロセッサは、前記ディスプレイ部の画面上の中央位置に情報を表示することができる。前記次のカーソルの移動は、前記情報とカーソルとが互いに相対的に動くように見える方法で表示することができる。前記情報とカーソルは、前記カーソルが固定されており、前記情報が動くように見える方法で表示することができる。また、前記情報とカーソルは、前記情報が固定されており、前記カーソルが動くように見える方法で表示することができる。
【００６７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００６８】
【図１】本発明による電子装置のディスプレイ部でメニューを検索する装置を示すブロック図である。
【図２】本発明による電子装置のディスプレイ部でメニューを検索する方法を示すフローチャートである。
【図３】本発明による電子装置のディスプレイ部に適用されるカーソル移動方式を説明するための図である。
【図４Ａ】従来の電子装置のディスプレイ部に適用されるカーソル移動方式を説明するための図である。
【図４Ｂ】従来の電子装置のディスプレイ部に適用されるカーソル移動方式を説明するための図である。
【図４Ｃ】従来の電子装置のディスプレイ部に適用されるカーソル移動方式を説明するための図である。
【符号の説明】
【００６９】
１００  キー入力部
２００  制御部
３００  カーソル制御部
４００  ディスプレイ部
【図１】
2006146897.tif 000003
【図２】
2006146897.tif 000004
【図３】
2006146897.tif 000005
【図４Ａ】
2006146897.tif 000006
【図４Ｂ】
2006146897.tif 000007
【図４Ｃ】
2006146897.tif 000008